(57)【要約】【課題】簡易な構成でオイルミスト除去効率を向上させ、小型化、軽量化及び低コスト化に寄与する。【解決手段】吸気口２から吸い込まれ、オイルミストを含んだ空気は、主フィルタ部７を構成するニッケルメタルフィルタによって、オイルミストの殆どを除去され、主フィルタ部７によっても除去されなかった僅かなオイルミストも、送風機５において遠心力によって加速されて、空気は急激に流れの方向を変化させて排気口４へ向かって通流しても、オイルミストはその慣性によって、装置箱体１５の内壁面の吸着領域８ａに衝突して吸着され、確実に除去される。したがって、簡易な構成でありながら、オイルミスト除去効率を向上させることができる。【選択図】  図１
2004261753.tif 000002
【特許請求の範囲】
【請求項１】
吸気口から空気を吸引し、該空気中に含まれるオイルミストを除去した後、排気口から清浄な空気を排気するオイルミスト除去装置であって、
前記吸気口から吸い込まれた前記空気を遠心方向に圧送する送風機と、少なくとも前記送風機の上流側に配置されて前記オイルミストを捕捉して除去するための第１のフィルタ部と、前記送風機の吐出口近傍に配置され、前記送風機から遠心方向に吐き出された空気を吹き付けられて、前記第１のフィルタ部によっても除去されなかった前記オイルミストを捕捉して除去するための第２のフィルタ部とを備えてなることを特徴とするオイルミスト除去装置。
【請求項２】
前記第１のフィルタ部は、多孔体フィルタを有してなることを特徴とする請求項１記載のオイルミスト除去装置。
【請求項３】
前記送風機は、複数の羽根が環状に並べられた羽根車を有すると共に、該羽根車の軸心が前記吸気口の中心軸線と概略共通する態様で、取り付けられてなる遠心型送風機であって、運転時は、前記羽根車の軸心方向から前記空気を取り入れ、取り入れた前記空気に旋回流を与え、発生した遠心力によって、前記羽根と羽根との間から、旋回する前記空気を前記羽根車の外周方向に圧送する構成とされていることを特徴とする請求項１又は２記載のオイルミスト除去装置。
【請求項４】
前記第２のフィルタ部は、前記送風機、前記第１及び第２のフィルタ部を収納する装置箱体の内壁面に沿って前記送風機の側縁部を囲むように配置され、前記オイルミストを吸着する吸着体を有してなると共に、前記第２のフィルタ部によって前記オイルミストが除去された空気は、急激に流れの方向を変化させて前記排気口へ向かって通流する構成になされていることを特徴とする請求項１、２又は３記載のオイルミスト除去装置。
【請求項５】
前記吸着体は、前記装置箱体の内壁面に沿って摺動可能に配置された長尺なシート状部材からなり、巻取手段によって巻き取られることによって、前記吸着体のうちオイルミスト吸着済の部分が回収されると共に、前記吸着体のうちオイルミスト未吸着の部分が供給手段から供給されて、前記送風機から遠心方向に吐き出された空気に晒されるように配置されるように構成されていることを特徴とする請求項４記載のオイルミスト除去装置。
【請求項６】
前記第２のフィルタ部は、前記吸着体の前記オイルミストを吸着した部分を、前記巻取手段によって巻き取る前に清掃する清掃手段を有することを特徴とする請求項５記載のオイルミスト除去装置。
【請求項７】
前記排気口は、前記送風機、前記第１及び第２のフィルタ部を収納する装置箱体の前記送風機の吐出口近傍に設けられていると共に、前記第２のフィルタ部は、前記排気口の上流側に配置された集塵フィルタを有してなることを特徴とする請求項１、２又は３記載のオイルミスト除去装置。
【請求項８】
前記多孔体フィルタの一部又は全部の領域への前記空気の流入を停止することによって、前記オイルミストの凝集体である液又は滴の流下又は落下を促進させて、目詰り状態の前記多孔体フィルタを再生するためのフィルタ再生手段を有することを特徴とする請求項２乃至７のいずれか１に記載のオイルミスト除去装置。
【請求項９】
前記フィルタ再生手段は、前記多孔体フィルタの目詰り状態を検出する目詰り検出手段を備え、
該目詰り検出手段が、前記多孔体フィルタの目詰り状態を検出すると、前記多孔体フィルタの一部又は全部の領域への前記空気の流入を停止させることを特徴とする請求項８記載のオイルミスト除去装置。
【請求項１０】
前記目詰り検出手段は、前記送風機の負荷電流を計測する電流計測手段を有し、該電流計測手段による計測結果に基づいて、前記多孔体フィルタの目詰り状態を検出することを特徴とする請求項９記載のオイルミスト除去装置。
【請求項１１】
前記フィルタ再生手段は、前記送風機をオフとすることによって、前記オイルミストの凝集体である液又は滴の流下又は落下を促進させて、目詰り状態の前記多孔体フィルタを再生することを特徴とする請求項８、９又は１０記載のオイルミスト除去装置。
【請求項１２】
前記フィルタ再生手段は、前記送風機がオンとなった後に、予め設定された第１の基準時間が経過すると、前記送風機をオフとし、前記送風機がオフとなった後、予め設定された第２の基準時間が経過すると、前記送風機をオンとする構成になされていることを特徴とする請求項１１記載のオイルミスト除去装置。
【請求項１３】
前記フィルタ再生手段は、前記多孔体フィルタの上流側に配置され、前記多孔体フィルタの上流側の所定の領域からの前記空気の流入を制限する流入制限手段を有してなることを特徴とする請求項８、９又は１０記載のオイルミスト除去装置。
【請求項１４】
前記流入制限手段は、前記多孔体フィルタの上流側に配置された遮蔽体と、該遮蔽体を前記多孔体フィルタの上流側の面に沿って周期的に又は必要に応じて変位させる遮蔽体駆動手段とを有してなっていることを特徴とする請求項１３記載のオイルミスト除去装置。
【請求項１５】
前記遮蔽体は、略矩形状の板状部材からなり、前記遮蔽体駆動手段は、前記遮蔽体を前記多孔体フィルタの上流側の面に沿って変位させることを特徴とする請求項１４記載のオイルミスト除去装置。
【請求項１６】
前記遮蔽体は、略扇形状の板状部材からなり、前記遮蔽体駆動手段は、前記遮蔽板を前記多孔体フィルタの上流側の面に沿って前記吸気口の中心軸の周りに回転運動させることを特徴とする請求項１４記載のオイルミスト除去装置。
【請求項１７】
前記フィルタ再生手段は、前記目詰り検出手段が、前記多孔体フィルタの目詰り状態を検出すると、前記遮蔽体駆動手段を制御して、前記遮蔽体を変位させて、前記多孔体フィルタのうち、目詰り状態に至っていない領域に、前記空気が流入されるようにすることを特徴とする請求項１４、１５又は１６記載のオイルミスト除去装置。
【請求項１８】
前記多孔体フィルタ及び／又は前記送風機の下方に配置され、前記多孔体フィルタによって捕捉された前記オイルミストが凝集して、流下又は落下する液又は滴を受けて貯える貯留部を備えたことを特徴とする請求項２乃至１７のいずれか１に記載のオイルミスト除去装置。
【発明の詳細な説明】
【０００１】
【発明の属する技術分野】
この発明は、オイルミスト除去装置に係り、例えば工作機械から発するオイルミストを除去し、清浄な空気を排出するのに好適なオイルミスト除去装置に関する。
【０００２】
【従来の技術】
図２２に示すように、工場の建物１０１内には、多数台の切削用機械等の工作機械１０２が配置される。例えば、切削用機械１０３は、図２３及び図２４に示すように、鋼鉄等の金属からなる加工物１０４を保持する主軸台１０５や心押台１０６及び切削具１０７が設けられていると共に、切削時に鉱物油を主成分とする油性切削剤（以下、オイルという）を供給するためのオイル供給装置１０８や清浄装置１０９が付設される。
オイル供給装置１０８は、オイルタンク１１０と、オイルを切削位置に供給するオイルポンプ１１１やオイル噴出管１１２等とからなる。オイル噴出管１１２から加工物に供給されたオイルはミスト状となり、空気中の水蒸気と混在して気状媒体（以下、空気という）となる。
【０００３】
この空気をこのまま建物１０１内に放出すると、建物１０１内が汚染されるため、該空気は清浄装置１０９を介して外に排出される。清浄装置１０９は、空気の流路上に配置された多孔構造のニッケルメタルフィルタを用いたフィルタ部１１３ａ，１１３ｂを有し、オイルミスト等を含んだ空気が、フィルタ部１１３ａ，１１３ｂによって除去され、例えばフィルタ部１１３ａ，１１３ｂによって捕捉されたオイルミストは凝集して油分として落下し、オイル貯留部１１４に貯留される。
清浄装置１０９は、図２２に示すように、工作機械１０２毎に配置され、それぞれダクト１１５が連結され、ダクト１１５を集束ダクト１１６を介して電気集塵機１１７側に連結される。
各工作機械１０２側から発生し、清浄装置１０９によってオイルミスト等が除去された上記空気は、全て電気集塵機１１７に導入され、清浄装置１０９によって除去しきれなかった主としてヒュームを除去され、清浄化された空気が排出される。
【０００４】
しかしながら、この清浄装置１０９は、工作機械１０２毎に工作機械１０２の設置箇所に据え付けられ、さらに、それぞれダクト１１５が連結され、電気集塵機１１７によってヒューム等を除去して、屋外に排出されるように構成されているので、電気集塵機１１７の運転を開始すると、使用していない工作機械１０２に対応した清浄装置１０９からも空気を吸い込むので、無駄な電力を消費することになり、維持するために無用なコストがかかるという問題があった。さらに、規模が大きくなるので、導入時にコストが嵩むという問題があった。
【０００５】
また、例えば工作機械１０２の配置換えや、別の種類の工作機械１０２を導入する場合には、ダクト１１５を敷設し直したり、電気集塵機１１７のモータの容量を変更したりしなければならない場合があり、改修時等に融通が利かないという問題があった。
このため、オイルミストを含んだ空気を吸い込み、フィルタ等を介してオイルミストを除去して、清浄な空気を排出するオイルミスト除去装置を、例えば工作機械の近傍に設置し、ダクトを廃するようにした技術が提案されている（例えば、特許文献１参照。）
【０００６】
【特許文献１】
特開２００２−１１３３１６号公報
【０００７】
【発明が解決しようとする課題】
しかしながら、上記従来技術でも、オイルミスト除去装置は、予め決められた位置に固定されているので、例えば工作機械の近くで別の作業をする場合に、汚染された空気を確実に吸い込ませたいときでも、最適な位置に移動させて用いることができず、使い勝手が悪いという問題があった。このように、オイルミスト除去効率を維持しつつ小型化及び軽量化を達成することは困難であるという問題があった。
【０００８】
この発明は、上述の事情に鑑みてなされたものであって、簡易な構成でオイルミスト除去効率を向上させることができると共に、小型化、軽量化及び低コスト化に寄与することができ、かつ、簡単に移動させて手軽に使用することができるオイルミスト除去装置を提供することを目的としている。
【０００９】
【課題を解決するための手段】
上記課題を解決するため、請求項１記載の発明は、吸気口から空気を吸引し、該空気中に含まれるオイルミストを除去した後、排気口から清浄な空気を排気するオイルミスト除去装置に係り、前記吸気口から吸い込まれた前記空気を遠心方向に圧送する送風機と、少なくとも前記送風機の上流側に配置されて前記オイルミストを捕捉して除去するための第１のフィルタ部と、前記送風機の吐出口近傍に配置され、前記送風機から遠心方向に吐き出された空気を吹き付けられて、前記第１のフィルタ部によっても除去されなかった前記オイルミストを捕捉して除去するための第２のフィルタ部とを備えてなることを特徴としている。
【００１０】
請求項２記載の発明は、請求項１記載のオイルミスト除去装置に係り、前記第１のフィルタ部は、多孔体フィルタを有してなることを特徴としている。
【００１１】
請求項３記載の発明は、請求項１又は２記載のオイルミスト除去装置に係り、前記送風機は、複数の羽根が環状に並べられた羽根車を有すると共に、該羽根車の軸心が前記吸気口の中心軸線と概略共通する態様で、取り付けられてなる遠心型送風機であって、運転時は、前記羽根車の軸心方向から前記空気を取り入れ、取り入れた前記空気に旋回流を与え、発生した遠心力によって、前記羽根と羽根との間から、旋回する前記空気を前記羽根車の外周方向に圧送する構成とされていることを特徴としている。
【００１２】
請求項４記載の発明は、請求項１、２又は３記載のオイルミスト除去装置に係り、前記第２のフィルタ部は、前記送風機、前記第１及び第２のフィルタ部を収納する装置箱体の内壁面に沿って前記送風機の側縁部を囲むように配置され、前記オイルミストを吸着する吸着体を有してなると共に、前記第２のフィルタ部によって前記オイルミストが除去された空気は、急激に流れの方向を変化させて前記排気口へ向かって通流する構成になされていることを特徴としている。
【００１３】
請求項５記載の発明は、請求項４記載のオイルミスト除去装置に係り、前記吸着体は、前記装置箱体の内壁面に沿って摺動可能に配置された長尺なシート状部材からなり、巻取手段によって巻き取られることによって、前記吸着体のうちオイルミスト吸着済の部分が回収されると共に、前記吸着体のうちオイルミスト未吸着の部分が供給手段から供給されて、前記送風機から遠心方向に吐き出された空気に晒されるように配置されるように構成されていることを特徴としている。
【００１４】
請求項６記載の発明は、請求項５記載のオイルミスト除去装置に係り、前記第２のフィルタ部は、前記吸着体の前記オイルミストを吸着した部分を、前記巻取手段によって巻き取る前に清掃する清掃手段を有することを特徴としている。
【００１５】
請求項７記載の発明は、請求項１、２又は３記載のオイルミスト除去装置に係り、前記排気口は、前記送風機、前記第１及び第２のフィルタ部を収納する装置箱体の前記送風機の吐出口近傍に設けられていると共に、前記第２のフィルタ部は、前記排気口の上流側に配置された集塵フィルタを有してなることを特徴としている。
【００１６】
請求項８記載の発明は、請求項２乃至７のいずれか１に記載のオイルミスト除去装置に係り、前記多孔体フィルタの一部又は全部の領域への前記空気の流入を停止することによって、前記オイルミストの凝集体である液又は滴の流下又は落下を促進させて、目詰り状態の前記多孔体フィルタを再生するためのフィルタ再生手段を有することを特徴としている。
【００１７】
請求項９記載の発明は、請求項８記載のオイルミスト除去装置に係り、前記フィルタ再生手段は、前記多孔体フィルタの目詰り状態を検出する目詰り検出手段を備え、該目詰り検出手段が、前記多孔体フィルタの目詰り状態を検出すると、前記多孔体フィルタの一部又は全部の領域への前記空気の流入を停止させることを特徴としている。
【００１８】
請求項１０記載の発明は、請求項９記載のオイルミスト除去装置に係り、前記目詰り検出手段は、前記送風機の負荷電流を計測する電流計測手段を有し、該電流計測手段による計測結果に基づいて、前記多孔体フィルタの目詰り状態を検出することを特徴としている。
【００１９】
請求項１１記載の発明は、請求項８、９又は１０記載のオイルミスト除去装置に係り、前記フィルタ再生手段は、前記送風機をオフとすることによって、前記オイルミストの凝集体である液又は滴の流下又は落下を促進させて、目詰り状態の前記多孔体フィルタを再生することを特徴としている。
【００２０】
請求項１２記載の発明は、請求項１１記載のオイルミスト除去装置に係り、前記フィルタ再生手段は、前記送風機がオンとなった後に、予め設定された第１の基準時間が経過すると、前記送風機をオフとし、前記送風機がオフとなった後、予め設定された第２の基準時間が経過すると、前記送風機をオンとする構成になされていることを特徴としている。
【００２１】
請求項１３記載の発明は、請求項８、９又は１０記載のオイルミスト除去装置に係り、前記フィルタ再生手段は、前記多孔体フィルタの上流側に配置され、前記多孔体フィルタの上流側の所定の領域からの前記空気の流入を制限する流入制限手段を有してなることを特徴としている。
【００２２】
請求項１４記載の発明は、請求項１３記載のオイルミスト除去装置に係り、前記流入制限手段は、前記多孔体フィルタの上流側に配置された遮蔽体と、該遮蔽体を前記多孔体フィルタの上流側の面に沿って周期的に又は必要に応じて変位させる遮蔽体駆動手段とを有してなっていることを特徴としている。
【００２３】
請求項１５記載の発明は、請求項１４記載のオイルミスト除去装置に係り、前記遮蔽体は、略矩形状の板状部材からなり、前記遮蔽体駆動手段は、前記遮蔽体を前記多孔体フィルタの上流側の面に沿って変位させることを特徴としている。
【００２４】
請求項１６記載の発明は、請求項１４記載のオイルミスト除去装置に係り、前記遮蔽体は、略扇形状の板状部材からなり、前記遮蔽体駆動手段は、前記遮蔽板を前記多孔体フィルタの上流側の面に沿って前記吸気口の中心軸の周りに回転運動させることを特徴としている。
【００２５】
請求項１７記載の発明は、請求項１４、１５又は１６記載のオイルミスト除去装置に係り、前記フィルタ再生手段は、前記目詰り検出手段が、前記多孔体フィルタの目詰り状態を検出すると、前記遮蔽体駆動手段を制御して、前記遮蔽体を変位させて、前記多孔体フィルタのうち、目詰り状態に至っていない領域に、前記空気が流入されるようにすることを特徴としている。
【００２６】
請求項１８記載の発明は、請求項２乃至１７のいずれか１に記載のオイルミスト除去装置に係り、前記多孔体フィルタ及び／又は前記送風機の下方に配置され、前記多孔体フィルタによって捕捉された前記オイルミストが凝集して、流下又は落下する液又は滴を受けて貯える貯留部を備えたことを特徴としている。
【００２７】
【発明の実施の形態】
以下、図面を参照して、この発明の実施の形態について説明する。説明は、実施例を用いて具体的に行う。
◇第１実施例
図１は、この発明の第１実施例であるオイルミスト除去装置の概略構成を示す模式断面図、図２は、同オイルミスト除去装置の概略構成を示す斜視図、図３は同オイルミスト除去装置の概略構成を示す正面図、図４は、同オイルミスト除去装置の概略構成を示す背面図、図５は、同オイルミスト除去装置の送風機の構成を示す斜視図、図６は、同オイルミスト除去装置の動作を説明するための説明図、また、図７は、同オイルミスト除去装置の主フィルタ部の多孔性フィルタの機能を説明するための模式図である。
【００２８】
この例のオイルミスト除去装置は、例えば工場の建物内に配置される切削機や溶接機等の工作機械の近傍の床面上や作業台上に配置され、工作機械で発生したオイルミストを除去して清浄な空気を排出するために用いられる。
このオイルミスト除去装置１は、図１乃至図４に示すように、吸気口２から吸い込まれた汚れた空気から、切削機等の工作機械の使用に伴って発生したオイルミストを除去するフィルタ部３と、空気を吸い込んで排気口４から清浄な空気を排出するための送風機５と、例えば送風機５へ電力を供給して運転させるための制御ユニット６とを備えてなっている。
【００２９】
フィルタ３は、送風機５の上流側に配置され、吸気口２から吸い込まれた空気から、オイルミストを除去する主フィルタ部（第１のフィルタ部）７と、送風機５の下流側に配置され、主フィルタ部７においても除去されなかったオイルミストを除去する補助除去部（第２のフィルタ部）８とを有している。
主フィルタ部７は、空気に含まれるオイルミスト等を捕集する例えば３枚の多孔体フィルタ９，９，９と、多孔体フィルタ９，９，９によって捕集されたオイルミストの凝集体を貯留するオイル貯留部１１と、オイル貯留部１１の底部に取り付けられ、オイル貯留部１１に溜まったオイルを排出するためのオイル排出部１２とを有してなっている。
【００３０】
多孔体フィルタ９としては、公知のニッケルメタルフィルタ（日本重化学工業株式会社製）の単品が採用されている。ニッケルメタルフィルタは、多孔構造のものからなり、発泡ウレタンにニッケル粉末を含浸し、これらを燒結してなるポーラスな固体状体からなっている。
このニッケルメタルフィルタは、油脂分、油煙、水蒸気等を効率的に除去する機能を有し、圧力損失も小さい特徴を有している。
【００３１】
補助除去部８は、装置箱体（ケーシング）１５の内壁面のうち、送風機５の側縁部を囲むように配置されて、オイルミストを吸着する吸着領域８ａからなり、空気中のオイルミストが送風機５において遠心力によって加速されて直接吹き付けられる。ここで、オイルミストはその慣性によって、吸着領域８ａに衝突して吸着されるが、オイルミストが除去された空気は、急激に流れの方向を変化させて排気口４へ向かって通流する。
【００３２】
送風機５は、図５に示すように、複数の羽根１８ａ，１８ａ，…が放射状に並べられた羽根車１８と、この羽根車１８を駆動するモータ１９とを有してなる遠心型のターボ送風機であって、羽根車１８及びモータ１９の軸心が吸気口２の中心軸線と概略共通する態様で、装置箱体１５に取り付けられている。
なお、この例では、羽根車１８の羽根１８ａの羽根形は、羽根出口（吐出口）の方向が回転方向に対して後向きの後向き羽根とされ、空気は回転方向に対して斜め後方に吹き出される。
【００３３】
次に、図６及び図７を参照して、この例のオイルミスト除去装置１の動作について説明する。
まず、工作機械側から発するオイルミストを含む空気Ａは、送風機５の運転により、図６に示すように、吸気口２からオイルミスト除去部３の主フィルタ部７に導入される。
主フィルタ部７では、図７に示すように、多孔体フィルタ９を構成するニッケルメタルフィルタ９ａに、例えば、オイルミストＰ１と水蒸気Ｐ２とが混合された空気Ａがニッケルメタルフィルタに当ると、ニッケルメタルフィルタ９ａが多孔で極めて大きな表面積を有するため、オイルミストＰ１は殆ど捕獲され、殆ど水蒸気Ｐ２のみがニッケルメタルフィルタ９ａを通過して進むこととなる。なお、ニッケルメタルフィルタ９ａで捕集されたオイルミストＰ１は、回収側に送られる。
【００３４】
多孔体フィルタ９内で分離されたオイルミストＰ１は、図６に示すように、凝集して油分Ｑとなって流化してオイル貯留部１１に貯留される。この油分Ｑは、例えば、工作機械が不使用中であって、送風機５が運転を休止しているときに、オイル排出部１２を操作することによって、オイル貯留部１１から排出される。多孔体フィルタ９を通過した空気Ａには、オイルミストＰ２が殆ど含まれてない。多孔体フィルタ９でオイルミストＰ１が殆ど除去された空気Ａは、送風機５の中心部（羽根車１８の内周部）に流入し、羽根車１８の各羽根１８ａに押されて旋回し、羽根１８ａと羽根１８ａとの隙間から羽根車１８外周方向に圧送される。
【００３５】
ここで、主フィルタ部７においても除去しきれなかった僅かなオイルミストＰ１は、送風機５において遠心力によって吸着領域８ａへ向けて加速される。そして、オイルミストＰ１はその慣性によって、吸着領域８ａに衝突し吸着され、オイルミストＰ１が除去された空気は、急激に流れの方向を変化させて排気口４へ向かって通流し、排気口４からは清浄な空気Ｃが排出される。
また、制御ユニット６が工作機械の発するオイルミストＰ１等の発生量に応じて送風機５の吸引力を変化させ、最も効果的なオイルミスト除去が行われる。
【００３６】
このように、この第１実施例の構成によれば、吸気口２から吸い込まれ、オイルミストＰ１を含んだ空気は、主フィルタ部７を構成するニッケルメタルフィルタによって、オイルミストＰ１の殆どを除去され、主フィルタ部７によっても除去されなかった僅かなオイルミストＰ１も、送風機５において遠心力によって加速されて、空気は急激に流れの方向を変化させて排気口４へ向かって通流しても、オイルミストＰ１はその慣性によって、吸着領域８ａに衝突して吸着され、確実に除去される。
したがって、簡易な構成でありながら、オイルミスト除去効率を向上させることができ、小型化、軽量化及び低コスト化に寄与することができる。
また、必要なときに必要な場所へ簡単に移動させて手軽に使用することができ、使い勝手を良好とすることができ、例えば、工場の設備の増設を含む改修等にも柔軟に対処することができる。
【００３７】
◇第２実施例
図８は、この発明の第２実施例であるオイルミスト除去装置の構成を示す模式断面図、また、図９は、同オイルミスト除去装置の動作を説明するための説明図である。
この例の装置構成が、上記した第１実施例のそれと大きく異なるところは、オイルミストを吸着する吸着シートを送風機５の側縁部を囲むように配置して補助除去部を構成した点である。
これ以外の構成は、上述した第１実施例の構成と略同一であるので、その説明を簡略にする。
【００３８】
この例のオイルミスト除去装置１Ａのフィルタ部３Ａは、図８に示すように、送風機５の上流側に配置され、吸気口２から吸い込まれた空気から、オイルミストを除去する主フィルタ部７と、送風機５の下流側に配置され、主フィルタ部７においても除去されなかったオイルミストを除去する補助除去部（第２のフィルタ部）８Ａとを有している。
【００３９】
補助除去部８Ａは、オイルミストを吸着する例えば織布からなる長尺な吸着シート（吸着体）１４が、装置箱体（ケーシング）１５の内壁に取り付けられたシート保持部１６によって保持されて送風機５の側縁部を囲むように配置されてなっている。
吸着シート１４は、例えば高分子材料から作られた糸を平織りにしてなり、空気中のオイルミスト等が送風機５において遠心力によって加速されて直接吹き付けられる位置に配置されている。ここで、オイルミストはその慣性によって、吸着シート１４に埋め込まれるが、空気は、オイルミストが除去された空気は、急激に流れの方向を変化させて排気口４へ向かって通流する。
【００４０】
次に、図９を参照して、この例のオイルミスト除去装置１Ａの動作について説明する。
まず、工作機械側から発するオイルミストを含む空気Ａは、送風機５の運転により、図９に示すように、吸気口２からフィルタ部３の主フィルタ部７に導入され、主フィルタ部７の多孔体フィルタ９内で分離されたオイルミストＰ１は、凝集して油分Ｑとなって流化してオイル貯留部１１に貯留される。
多孔体フィルタ９を通過した空気Ａには、オイルミストＰ１が殆ど含まれてない。多孔体フィルタ９でオイルミストＰ１が殆ど除去された空気Ａは、送風機５の中心部（羽根車１８の内周部）に流入し、羽根車１８の各羽根１８ａに押されて旋回し、羽根１８ａと羽根１８ａとの隙間から羽根車１８外周方向に圧送される。
【００４１】
ここで、主フィルタ部７においても除去しきれなかった僅かなオイルミストＰ１は、送風機５において遠心力によって吸着シート１４へ向けて加速される。そして、オイルミストＰ１はその慣性によって、吸着シート１４に衝突し埋め込まれ、オイルミストＰ１が除去された空気は、急激に流れの方向を変化させて排気口４へ向かって通流し、排気口４からは清浄な空気Ｃが排出される。
また、制御ユニット６が工作機械の発するオイルミストＰ１の発生量に応じて送風機５の吸引力を変化させ、最も効果的なオイルミスト除去が行われる。
【００４２】
このように、この第２実施例の構成によれば、吸気口２から吸い込まれ、オイルミストＰ１を含んだ空気は、主フィルタ部７を構成するニッケルメタルフィルタによってオイルミストＰ１の殆どを除去され、主フィルタ部７によっても除去されなかった僅かなオイルミストＰ１も、送風機５において遠心力によって加速されて、空気は急激に流れの方向を変化させて排気口４へ向かって通流しても、オイルミストＰ１はその慣性によって吸着シート１４に衝突して埋め込まれ、確実に除去される。
したがって、簡易な構成でありながら、オイルミスト除去効率を一段と向上させることができ、小型化、軽量化及び低コスト化に寄与することができる。
【００４３】
◇第３実施例
図１０は、この発明の第３実施例であるオイルミスト除去装置の構成を示す模式断面図である。
この例の装置構成が、上記した第２実施例のそれと大きく異なるところは、補助除去部が、吸着シートのうちオイルミスト吸着済の部分を巻き取って回収するシート巻取部と、吸着シートのうちオイルミスト未吸着の部分を供給するシート供給部とを備えた点である。
これ以外の構成は、上述した第２実施例の構成と略同一であるので、その説明を簡略にする。
【００４４】
この例のオイルミスト除去装置１Ｂの補助除去部（第２のフィルタ部）８Ｂは、図１０に示すように、オイルミストを吸着する長尺な吸着シート（吸着体）１４Ｂと、吸着シート１４Ｂを保持し、送風機５の側縁部を囲むように配置させるためのシート保持部１６Ｂと、吸着シート１４Ｂのうちオイルミスト吸着済の部分を、巻き取りモータ２１ａによって巻取軸の周りに巻き取って回収するシート巻取部（巻取手段）２１と、吸着シート１４Ｂのうちオイルミスト未吸着の部分を供給するシート供給部（供給手段）２２とを有している。
シート保持部１６Ｂは、吸着シート１４Ａの両側端を支持するための一対の外形が円環状で断面コの字状の支持部材２３，２３からなり、下部に吸着シート１４Ｂを引き出すための切欠き部２４が設けられ、取付部材２５，２５，２５によって、装置箱体１５Ｂの内壁に取り付けられている。
所定の時間が経過すると、制御ユニットによって制御されて、シート巻取部２１が吸着シート１４Ｂを巻き取って、オイルミスト吸着済の汚れた部分を回収し、シート供給部２２から供給された未吸着の部分が、送風機５から圧送され、主フィルタ部７によっても除去しきれなかったオイルミストを含む空気に晒される。
【００４５】
このように、この第３実施例の構成によれば、第２実施例と略同一の効果を得ることができる。
加えて、常に、供給部２２から、吸着シート１４Ｂのオイルミスト未吸着の部分が供給されて、空気に晒されるので、オイルミストの除去効率を一段と向上させることができる。
また、制御ユニットの制御によって、シート巻取部２１が吸着シート１４Ｂを自動的に巻き取り、シート供給部２２から吸着シート１４Ｂのオイルミスト未吸着の部分が供給されるので、保守管理を容易とすることができる。
【００４６】
◇第４実施例
図１１は、この発明の第４実施例であるオイルミスト除去装置の構成を示す模式断面図である。
この例の装置構成が、上記した第３実施例のそれと大きく異なるところは、回収前の吸着シートをクリーニングするためのクリーニング装置を備えた点である。
これ以外の構成は、上述した第３実施例の構成と略同一であるので、その説明を簡略にする。
【００４７】
この例のオイルミスト除去装置１Ｃの補助除去部（第２のフィルタ部）８Ｃは、図１１に示すように、オイルミストを吸着する例えば合成樹脂製のシート状部材からなる長尺な吸着シート（吸着体）１４Ｃと、吸着シート１４Ｃを保持し、送風機５の側縁部を囲むように配置させるためのシート保持部１６Ｃと、吸着シート１４Ｃのうちオイルミスト吸着済の部分を、巻き取りモータ２１ａによって巻取軸の周りに巻き取って回収するシート巻取部２１と、吸着シート１４Ｃのうちオイルミスト未吸着の部分を供給するシート供給部２２と、回収前の吸着シート１４Ｃをクリーニングするためのクリーニング装置（清掃手段）２７とを有している。
【００４８】
このように、この第４実施例の構成によれば、第３実施例と同様の効果を得ることができる。
加えて、クリーニング装置２７を有しているので、吸着シート１４Ｃを回収して全部巻き取った後も、吸着シート１４Ｃを再利用することができる。
【００４９】
◇第５実施例
図１２は、この発明の第５実施例であるオイルミスト除去装置の構成を示す模式断面図である。
この例の装置構成が、上記した第２実施例のそれと大きく異なるところは、排気口を送風機の側縁部を囲むように装置箱体に形成し、排気口の上流側に吸着シートに代えて集塵フィルタを設けた点である。
これ以外の構成は、上述した第２実施例の構成と略同一であるので、その説明を簡略にする。
【００５０】
この例のオイルミスト除去装置１Ｄは、図１２に示すように、吸気口２から吸い込まれた汚れた空気から、切削機等の工作機械の使用に伴って発生したオイルミストを除去するフィルタ部３Ｄと、空気を吸い込んで排気口４Ｄから清浄な空気を排出するための送風機５と、例えば送風機５へ電力を供給して運転させるための制御ユニットとを備えてなっている。ここで、排気口４Ｄは、送風機５の側縁部を取り囲むように、装置箱体１５Ｄに形成されている。
フィルタ部３Ｄは、上述した主フィルタ部（第１のフィルタ部）７と、送風機５の下流側に配置され、主フィルタ部７においても除去されなかった主としてオイルミストを除去する補助除去部（第２のフィルタ部）８Ｄとを有している。
【００５１】
補助除去部８Ｄは、オイルミスト等を捕捉し除去する例えば不織布からなる長尺な集塵フィルタ１４Ｄが、装置箱体１５Ｄの内壁に取り付けられたフィルタ保持部１６Ｄによって保持されて送風機５の側縁部を囲むように配置されてなっている。
集塵フィルタ１４Ｄは、空気中のオイルミスト等が送風機５において遠心力によって加速されて直接吹き付けられる位置に配置されている。ここで、オイルミスト等を含む空気が、排気口４Ｄの近傍の集塵フィルタ１４Ｄを通過する際にオイルミスト等は、この集塵フィルタ１４Ｄによって捕捉され除去される。
【００５２】
このように、この第５実施例の構成によれば、第２実施例と略同一の効果を得ることができる。
【００５３】
◇第６実施例
図１３は、この発明の第６実施例であるオイルミスト除去装置の制御ユニットの構成を示すブロック図、また、図１４は、同オイルミスト除去装置の動作を説明するための説明図である。
この例の装置構成が、上記した第２実施例のそれと大きく異なるところは、送風機を所定の時間間隔で間欠運転するように構成した点である。
これ以外の構成は、上述した第２実施例の構成と略同一であるので、その説明を簡略にする。
【００５４】
この例のオイルミスト除去装置の制御ユニット（フィルタ再生手段の一部）６Ｅは、図１３に示すように、構成各部を所定のプログラムにしたがって制御する制御部３１と、制御部３１が処理する各種プログラムやデータを記憶した記憶部３２と、計時回路３３とを有している。
この制御ユニット６Ｅは、図１４に示すように、予め設定され送風機５を運転させる運転時間ｔａと、休止させる休止時間ｔｂとに基づいて、送風機５の運転／休止を交互に繰り返すように制御する。
上記運転時間ｔａ及び休止時間ｔｂは、工作機械から発生するオイルミストの発生量や、多孔体フィルタのオイルミスト捕捉能力等に基づいて、設定される。
運転時間ｔａ中に、時間の経過と共に、多孔体フィルタ９は、オイルミストを捕捉することによって次第に目詰りを起こし、図１４に示すように、主フィルタ部７を通過した空気の流量Ｒが流量Ｒ１からＲ２まで低下する。
【００５５】
これは、空気の流れによって、オイルミストの凝集液が分断状態となっているため、流下し難くなっているからであると考えられる。
制御ユニット６Ｅは、運転時間ｔａ経過すると、送風機５を休止時間ｔｂ休止させる。この休止時間ｔｂ中に多孔体フィルタ９に捕捉されたオイルミストの凝集液は、空気の流れが停止することで、流下が促進されて、オイル貯留部１１に集められる。
これは、分断状態となっていたオイルミストの凝集液が、表面張力の作用によって、互いにくっつき合って、重力の作用を受けて流下が促進されるものと考えられる。このようにして、オイル貯留部１１内に次第に油分が溜まる。
【００５６】
このように、この第６実施例の構成によれば、第２実施例と略同一の効果を得ることができる。
加えて、送風機５に休止時間を設けることによって、多孔体フィルタ９を再生して、常に所定の捕集効率を維持することができる。
【００５７】
◇第７実施例
図１５は、この発明の第７実施例であるオイルミスト除去装置の制御ユニットの構成を示すブロック図である。
この例の装置構成が、上記した第６実施例のそれと大きく異なるところは、第６実施例では、一定時間間隔で送風機を一定時間休止させたのに対して、電流計によって送風機の負荷電流を計測し、この計測結果に基づいて、送風機をオン／オフするように構成した点である。
これ以外の構成は、上述した第６実施例の構成と略同一であるので、その説明を簡略にする。
【００５８】
この例のオイルミスト除去装置の制御ユニット６Ｆは、図１５に示すように、構成各部を所定のプログラムにしたがって制御する制御部４１と、制御部４１が処理する各種プログラムやデータを記憶した記憶部４２と、送風機５の負荷電流を計測するための電流計（目詰り検出手段）４３とを有している。
制御部４１は、電流計４３によって計測された電流値を一定時間積算して平均値を算出し、前回の平均値よりも所定量低下したならば、所定の休止時間送風機５を休止させる。
【００５９】
このように、この第７実施例の構成によれば、第６実施例と略同一の効果を得ることができる。
加えて、計測した電流値に基づいて、送風機５をオン／オフするので、的確に多孔体フィルタ９の捕捉効率の低下を検知して、運転状態に合わせて常に高い捕集効率を維持することができる。
【００６０】
◇第８実施例
図１６は、この発明の第８実施例であるオイルミスト除去装置の構成を一部破断面して示す正面図、図１７は、同オイルミスト除去装置の制御ユニットの構成を示すブロック図、また、図１８及び図１９は、同オイルミスト除去装置の動作を説明するための説明図である。
この例の装置構成が、上記した第６実施例のそれと大きく異なるところは、第６実施例では、送風機をオフとすることによって多孔体フィルタを再生したのに対して、遮蔽板を多孔体フィルタの上流側の面に沿って周期的に往復運動させることによって多孔体フィルタを再生するように構成した点である。
これ以外の構成は、上述した第６実施例の構成と略同一であるので、その説明を簡略にする。
【００６１】
この例のオイルミスト除去装置１Ｇは、図１６に示すように、吸気口２から吸い込まれた汚れた空気から、切削機等の工作機械の使用に伴って発生したオイルミストを除去するフィルタ部３と、空気を吸い込んで排気口４から清浄な空気を排出するための送風機５と、例えば送風機５へ電力を供給して運転させるための制御ユニット（フィルタ再生手段の一部）６Ｇと、吸気口２とオイルミスト除去部３の主フィルタ部７との間に設けられ、空気の主フィルタ部７への流入箇所を制限する空気流入制限部（フィルタ再生手段の一部、空気流入制限手段）４４とを備えてなっている。
フィルタ部３は、送風機５の上流側に配置され、吸気口２から吸い込まれた空気から、オイルミストを除去する主フィルタ部７と、送風機５の下流側に配置され、主フィルタ部７においても除去されなかった主としてオイルミストを除去する補助除去部８とを有している。
【００６２】
空気流入制限部４４は、図１６に示すように、幅方向（この例では水平方向）に沿って変位可能に主フィルタ部７の空気流入側に配置され、主フィルタ部７の多孔体フィルタ９の幅（すなわち、略吸気口２の開口の幅）ｗの略１／４（ｗ／４）に設定された矩形状の遮蔽板４５と、遮蔽板４５の例えば下部に取り付けられ雌ねじが螺設された孔部４６ａを有する保持部材４６と、遮蔽板４５の例えば上部に取り付けられ孔部４７ａを有する保持部材４７と、保持部材４６の孔部４６ａに挿入され孔部４６ａの雌ねじと螺合する雄ねじが螺設された棒状の送りねじ４８と、保持部材４７の孔部４７ａに挿入され遮蔽板４５を水平方向に沿って案内するための案内棒４９と、制御ユニット６Ｆの制御によって送りねじ４８を回転駆動させる駆動モータ５１とを有している。
【００６３】
制御ユニット６Ｇは、図１７に示すように、構成各部を所定のプログラムに従って制御する制御部５２と、制御部５２が処理する各種プログラムやデータを記憶した記憶部５３と、計時回路５４とを有している。
この制御ユニット６Ｆは、図１８及び図１９に示すように、送風機５を運転させながら、駆動モータ５１を制御して、遮蔽板４５を移動させ、主フィルタ部７への空気の流入が遮断される箇所を順次変更する。
まず、遮蔽板４５は、時刻ｔが（ｔ０＜ｔ＜ｔ１）の間は、図１９（ａ）に示すように、オイルミスト除去装置１Ｆの正面側から見て最右端に配置される。時間の経過と共に、多孔体フィルタ９は、オイルミストを捕捉することによって次第に目詰りを起こし、経過時間Δｔａ（＝ｔ１−ｔ０）後には、図１８に示すように、主フィルタ部７を通過した空気の流量Ｒが流量Ｒ３からＲ４まで低下する。
【００６４】
制御ユニット６Ｇは、時刻ｔが（ｔ＝ｔ１）となると、図１９（ｂ）に示すように、駆動モータ５１を制御して、遮蔽板４５を距離ｗ／４だけ左方へ移動させる。これにより、図１８に示すように、空気の流量Ｒは流量Ｒ４からＲ３まで回復する。
この場合も、経過時間Δｔｂ（＝ｔ２−ｔ１）後には、同図に示すように、主フィルタ部７を通過した空気の流量Ｒが流量Ｒ３からＲ４まで低下する。
【００６５】
制御ユニット６Ｇは、時刻ｔが（ｔ＝ｔ２）となると、図１９（ｃ）に示すように、駆動モータ５１を制御して、遮蔽板４５をさらに距離ｗ／４だけ左方へ移動させる。これにより、図１８に示すように、空気の流量Ｒは流量Ｒ４からＲ３まで回復する。
この場合も、経過時間Δｔｃ（＝ｔ３−ｔ２）後には、同図に示すように、主フィルタ部７を通過した空気の流量Ｒが流量Ｒ３からＲ４まで低下する。
【００６６】
制御ユニット６Ｇは、時刻ｔが（ｔ＝ｔ３）となると、図１９（ｄ）に示すように、駆動モータ５１を制御して、遮蔽板４５をさらに距離ｗ／４だけ左方へ移動させる。これにより、図１８に示すように、空気の流量Ｒは流量Ｒ４からＲ３まで回復する。
この場合も、経過時間Δｔｄ（＝ｔ４−ｔ３）後には、同図に示すように、主フィルタ部７を通過した空気の流量Ｒが流量Ｒ３からＲ４まで低下する。
【００６７】
制御ユニット６Ｇは、時刻ｔが（ｔ＝ｔ４）となると、図１９（ａ）に示すように、駆動モータ５１を制御して、遮蔽板４５を、最右端に移動させ、以降、上述した動作を繰り返し実行する。
ここで、多孔体フィルタ９のうち、主として、空気の流入が遮蔽板４５によって遮断された部位からは、多孔体フィルタ９に捕捉されたオイルミストの凝集液は、空気の流入が遮断されることで、流下が促進されて、オイル貯留部１１に集められる。
なお、この例では、（Δｔａ＝Δｔｂ＝Δｔｃ＝Δｔｄ）とされ、工作機械から発生するオイルミストの発生量や、多孔体フィルタのオイルミスト捕捉能力等に基づいて、設定される。
【００６８】
このように、この第８実施例の構成によれば、第６実施例と略同一の効果を得ることができる。
加えて、送風機５の運転を継続させながら、多孔体フィルタ９の再生を同時に行うことができるので、工作機械を使用していて、オイルミストの除去が必要なときでも、多孔体フィルタ９の目詰り箇所を再生しながら、常に高い捕集効率を維持することができる。
【００６９】
◇第９実施例
図２０は、この発明の第９実施例であるオイルミスト除去装置の制御ユニットの構成を示すブロック図である。
この例の装置構成が、上記した第８実施例のそれと大きく異なるところは、第８実施例では、一定時間間隔で遮蔽板を往復運動させたのに対して、電流計によって送風機の負荷電流を計測し、この計測結果に基づいて、遮蔽板を往復運動させるように構成した点である。
これ以外の構成は、上述した第８実施例の構成と略同一であるので、その説明を簡略にする。
【００７０】
この例のオイルミスト除去装置の制御ユニット６Ｈは、図２０に示すように、構成各部を所定のプログラムにしたがって制御する制御部５５と、制御部５５が処理する各種プログラムやデータを記憶した記憶部５６と、送風機５の負荷電流を計測するための電流計（目詰り検出手段）５７とを有している。
制御部５５は、電流計５７によって計測された電流値を一定時間積算して平均値を算出し、前回の平均値よりも所定量低下したならば、駆動モータ５１を制御して、例えば、遮蔽板４５が最左端に配置されている以外の場合は遮蔽板４５を距離ｗ／４だけ左方へ移動させ、遮蔽板４５が最左端に配置されている場合は遮蔽板４５を最右端に移動させる。
【００７１】
このように、この第９実施例の構成によれば、第８実施例と略同一の効果を得ることができる。
加えて、計測した電流値に基づいて、遮蔽板４５を移動させるので、的確に多孔体フィルタ９の捕捉効率の低下を検知して、運転状態に合わせて常に高い捕集効率を維持することができる。
【００７２】
以上、この発明の実施例を図面により詳述してきたが、具体的な構成はこの実施例に限られたものではなく、この発明の要旨を逸脱しない範囲の設計の変更等があってもこの発明に含まれる。
例えば、工場等で用いる場合について述べたが、これに限らず、例えば、焼肉店等の飲食店や、一般家庭において使用しても良い。
また、第１のフィルタ部としての主フィルタ部において、多孔体フィルタ９に限らず、繊維性のフィルタを用いても良い。また、多孔体フィルタ９は、３枚に限らず、２枚以下でも４枚以上でも良い。送風機５の下流側にも多孔体フィルタを配置するようにしても良い。
また、送風機の羽根形は、前向き羽根に限らず、半径向き羽根形でも良いし、後ろ向き羽根でも良い。また、送風機は、１台と限らず、複数台配置するようにしても良い。
【００７３】
また、送風機５の例えば下流側に、図２１に示すような電気集塵ユニットを配置するようにしても良い。ここで、オイルミストが除去され、電気集塵ユニットに導入された空気Ｃは、ニードル電極先端のイオン化部６１に当ると、空気Ｃ内の酸素がプラスイオンとなり、これに例えばヒュームＰ４等が付着しプラスの微粒子体Ｐ５を形成する。
この微粒子体Ｐ５は、マイナス電位の集塵電極６２に直接付着するとともに、中心のプラス電位の対応電極６３に跳ね飛ばされて、集塵電極６２に付着する。したがって、ヒュームＰ４等は、集塵電極６２で捕獲され、清浄空気Ｄが排出される。
【００７４】
また、例えば第２実施例で、吸着シート１４の繊維材料は、中空繊維等を用いても良い。また、平織りに限らず多数の空隙部を有する綾織りでも良いし、朱子織りでも良い。また、例えば、紙製の不織布を用いても良いし、ポリウレタン発泡体等の多孔質の発泡体を用いるようにしても良い。また、単に粘着テープを用いても良い。
【００７５】
また、第４実施例で、吸着シート１４Ｃを無端状として、クリーニング装置２７を通過させて使用するようにしても良い。
また、第８実施例で、遮蔽板は、矩形状に限らず、例えば扇形の板状部材を用いて、吸気口の中心軸の周りに回転させるようにしても良い。
また、第８実施例で、遮蔽体として、板状部材に代えてフィルム状部材を無端状として回転させて用いるようにしても良い。ここで、このフィルム状部材を清掃するクリーニング装置を付加しても良い。
また、第８実施例で、遮蔽板の幅を多孔体フィルタの幅の略１／４に設定する場合について述べたが、１／４とは限らず、例えば、１／５でも、１／２でも良い。
また、第８実施例で、遮蔽板の全部を多孔体フィルタの配置された領域外に移動可能なようにして、必要に応じて多孔体フィルタの全面を用いるように構成しても良い。
また、吸気口２と主フィルタ部７との間に、例えば鉛直方向に平行な軸の周りに回動可能に複数の羽根板（ルーバ）を設けて、多孔体フィルタの一部又は全部の領域への空気の流入を停止または制限することが可能なようにしても良い。ここで、吸気口２の全ての領域に亘って羽根板を配置し、全ての羽根板を同時に全開状態としたり全閉状態としても良いし、第８実施例で、遮蔽板を変位させたのに代えて、時間的に全開状態又は全閉状態とする羽根板を変更するようにしても良い。
【００７６】
【発明の効果】
以上説明したように、この発明のオイルミスト除去装置によれば、吸気口から吸い込まれ、オイルミストを含んだ空気は、第１のフィルタ部によって、オイルミストの殆どを除去され、第１のフィルタ部によっても除去されなかった僅かなオイルミストも、送風機において遠心力によって加速されて、第２のフィルタ部に衝突して、確実に除去される。
したがって、簡易な構成でありながら、オイルミスト除去効率を向上させることができ、小型化、軽量化及び低コスト化に寄与することができる。
また、必要なときに必要な場所へ簡単に移動させて手軽に使用することができ、使い勝手を良好とすることができ、例えば、工場の設備の増設を含む改修等にも柔軟に対処することができる。
【００７７】
また、第２のフィルタ部によってオイルミストが除去された空気が、急激に流れの方向を変化させて排気口へ向かって通流するように構成することによって、空気は急激に流れの方向を変化させて排気口へ向かって通流しても、送風機において遠心力によって加速されたオイルミストは、その慣性によって第２のフィルタ部に衝突し、一段と確実に除去される。
また、吸着体を、巻取手段によって巻き取って、オイルミスト吸着済の部分を回収し、オイルミスト未吸着の部分を供給手段から供給し、送風機から遠心方向に吐き出された空気に晒すように構成することによって、オイルミストの除去効率を一段と向上させることができる。ここで、吸着体のオイルミストを吸着した部分を、巻取手段によって巻き取る前に清掃手段によって清掃することによって、吸着体を回収して全部巻き取った後も、吸着体を再利用することができる。
【００７８】
また、フィルタ再生手段を用いて、必要に応じて多孔体フィルタの一部又は全部の領域への空気の流入を停止することによって、多孔体フィルタを再生して、常に所定の捕集効率を維持することができる。ここで、目詰り検出手段を用いて、多孔体フィルタの目詰り状態が検出されたときに、空気の流入を停止させることによって、的確に多孔体フィルタの捕捉効率の低下を検知して、運転状態に合わせて常に高い捕集効率を維持することができる。また、多孔体フィルタの上流側の面に沿って変位可能な遮蔽体を設けて空気の流入を停止させることによって、送風機の運転を継続させながら、多孔体フィルタの再生を同時に行い、常に高い効率でオイルミストの捕集を継続して行うことができる。
【図面の簡単な説明】
【図１】この発明の第１実施例であるオイルミスト除去装置の概略構成を示す模式断面図である。
【図２】同オイルミスト除去装置の概略構成を示す斜視図である。
【図３】同オイルミスト除去装置の概略構成を示す正面図である。
【図４】同オイルミスト除去装置の概略構成を示す背面図である。
【図５】同オイルミスト除去装置の送風機の構成を示す斜視図である。
【図６】同オイルミスト除去装置の動作を説明するための説明図である。
【図７】同オイルミスト除去装置の主フィルタ部の多孔性フィルタの機能を説明するための模式図である。
【図８】この発明の第２実施例であるオイルミスト除去装置の構成を示す模式断面図である。
【図９】同オイルミスト除去装置の動作を説明するための説明図である。
【図１０】この発明の第３実施例であるオイルミスト除去装置の構成を示す模式断面図である。
【図１１】この発明の第４実施例であるオイルミスト除去装置の構成を示す模式断面図である。
【図１２】この発明の第５実施例であるオイルミスト除去装置の構成を示す模式断面図である。
【図１３】この発明の第６実施例であるオイルミスト除去装置の制御ユニットの構成を示すブロック図である。
【図１４】同オイルミスト除去装置の動作を説明するための説明図である。
【図１５】この発明の第７実施例であるオイルミスト除去装置の制御ユニットの構成を示すブロック図である。
【図１６】この発明の第８実施例であるオイルミスト除去装置の構成を一部破断面して示す正面図である。
【図１７】同オイルミスト除去装置の制御ユニットの構成を示すブロック図である。
【図１８】同オイルミスト除去装置の動作を説明するための説明図である。
【図１９】同オイルミスト除去装置の動作を説明するための説明図である。
【図２０】この発明の第９実施例であるオイルミスト除去装置の制御ユニットの構成を示すブロック図である。
【図２１】この発明の第１実施例の変形例であるオイルミスト除去装置を構成する電気集塵ユニットの機能を説明するための説明図である。
【図２２】従来技術を説明するための説明図である。
【図２３】従来技術を説明するための説明図である。
【図２４】従来技術を説明するための説明図である。
【符号の説明】
１，１Ａ，１Ｂ，１Ｃ，１Ｄ，１Ｇ      オイルミスト除去装置
２      吸気口
３，３Ｃ      オイルミスト除去部
４，４Ｃ      排気口
５      送風機
６，６Ｅ，６Ｆ，６Ｇ，６Ｈ      制御ユニット（フィルタ再生手段の一部）
７      主フィルタ部（第１のフィルタ部）
８，８Ａ，８Ｂ，８Ｃ      補助除去部（第２のフィルタ部）
８ａ      吸着領域
９      多孔体フィルタ
１１      オイル貯留部
１２      オイル排出部
１４，１４Ａ      吸着シート（吸着体）
１４Ｃ      集塵フィルタ
１５      装置箱体
１８      羽根車
１８ａ      羽根
２１      シート巻取部（巻取手段）
２２      シート供給部（供給手段）
２７      クリーニング部（清掃手段）
４３，５７      電流計（目詰り検出手段）
４４      空気流入制限部（フィルタ再生手段の一部、空気流入制限手段）
４５      遮蔽板（遮蔽体）
【図１】
2004261753.tif 000003
【図２】
2004261753.tif 000004
【図３】
2004261753.tif 000005
【図４】
2004261753.tif 000006
【図５】
2004261753.tif 000007
【図６】
2004261753.tif 000008
【図７】
2004261753.tif 000009
【図８】
2004261753.tif 000010
【図９】
2004261753.tif 000011
【図１０】
2004261753.tif 000012
【図１１】
2004261753.tif 000013
【図１２】
2004261753.tif 000014
【図１３】
2004261753.tif 000015
【図１４】
2004261753.tif 000016
【図１５】
2004261753.tif 000017
【図１６】
2004261753.tif 000018
【図１７】
2004261753.tif 000019
【図１８】
2004261753.tif 000020
【図１９】
2004261753.tif 000021
【図２０】
2004261753.tif 000022
【図２１】
2004261753.tif 000023
【図２２】
2004261753.tif 000024
【図２３】
2004261753.tif 000025
【図２４】
2004261753.tif 000026